(57)【要約】      （修正有）【課題】いかなる侵入に対しても、反応することができるセンサおよび確実な警報の発信、さらに、デザイン的な要望にも応えるようにする。【解決手段】電線を網状にしたセンサでは、短絡線を使用する方法でセンサ機能を失うという問題があった。心線に外側と内側をもった電線の構造によりこの問題を解決した。電線のみの構造は感知するセンサがないので、誤動作がなく、形状を自由に設計できるようになった。【選択図】図１
0003136150.tif 000002
【実用新案登録請求の範囲】
【請求項１】
ロープの中に電線の入ったセンサ部分があり、心線の外側は内側より導電性の低い材質でできていて、センサである電線の心線と心線を短絡または、断線させたとき、電線の抵抗値の変化の検出を容易にしていて、センサであるその電線心線に電流を流し、抵抗値の変化を常時計測し、ロープの異状を出力する機能をもつ装置からできていて、ロープ全体を防犯対策のセンサとして使用するという特徴をもつ移動可能な防犯器具
【請求項２】
ロープの中に電線の入ったセンサ部分があり、心線の外側は内側より導電性の低い材質でできていて、センサである電線の心線とその電線に変化する電流を流し、心線を短絡させたとき、電線の抵抗値の変化の検出を容易にしていて、センサである、その電線心線に電流を流し、抵抗値の変化を常時、計測し、ロープの異状を出力する機能をもつ装置からできていて、ロープ全体を防犯対策のセンサとして使用するという特徴をもつ移動可能な防犯器具
【請求項３】
請求項１のロープ状のセンサを網状にして、その網状センサ防犯対象物を完全に覆うことができ、そのネットの異状を出力する装置をそのにより、網状センサの内側に外部から影響を受けないで設置しておくことを可能にした防犯器具であり、容易に移動して使用することができ、さらに、拡張が可能であることで、防犯対策を必要とするものの形や大きさに影響されないという特徴をもつ移動可能な防犯器具
【請求項４】
請求項１の防犯装置のロープ状センサを網状とすることで、ネット状のフェンスとしての機能も併せもつという特徴をもつ移動可能な防犯器具
【考案の詳細な説明】
【技術分野】
【０００１】本考案は、容易に移動して使用して使用することが可能で、防犯するものの形状や大きさに関係なく、使用でき、拡張やデザインが自由に設計できる防犯器具である。
【背景技術】
【０００２】従来の防犯器具には、侵入の状況を音や振動など一部の情報で異状を判定するタイプのものがある。これらでは、防犯対象物への侵入に対し、完全に防犯することができなかった。また、電線をのセンサとして使用するものは、電線の心線と心線を短絡線を使用する方法により機能を失う問題があった。【０００３】このような理由で、外部で使用する器具は防犯対象物の形状や大きさによっては、完全な侵入対策は困難であった。【０００４】さらに、一部の情報により警報を発するものは、その構造のため、形状的なデザインについての要求には応えられなかった。
【考案の開示】
【考案が解決しようとする課題】
【０００５】いかなる侵入に対しても、反応することができるセンサおよび確実な警報の発信、さらに、デザイン的な要望にも応えるというものである。
【課題を解決するための手段】
【０００６】本考案は、ロープの中に電線の入ったセンサ部分があり、心線の外側は内側より導電性の低い材質でできていて侵入センサを網状にし、防犯対象物を完全に覆うことで、その該センサを破壊しなければ侵入できないという構造とすることで、侵入に対して確実に警報を発するようにしたものである。この網状形状により移動して容易に設置することができ、さらに、デザインを自由に設計することが可能になるという特徴がある。
電線がセンサとなっているので、形状が自由で、軽量化が可能になった。
【考案の効果】
【０００７】大きさや形状により、防犯に手数がかかるものでも、容易に防犯対策ができるようにした。また、ネット構造のため、デザインを変えることで、周囲との違和感を緩和することができるようにした。また、簡単に移動できることで、緊急用に使用できるようにした。【０００８】図２の５と６の間に流す電流を変化させておくことで、該網状のセンサを破壊することや、センサ機能を失わせる目的でセンサの抵抗に相当するダミーの抵抗を挿入しようとすることに対して、防止対策となる。センサに流れる電流はそのセンサ部分の抵抗値を知ろうとするときの情報となるため、この電流を一定としないようにできる機能を警報装置はもっている。
また、センサに流す電流が一定の警報装置は、防犯対策が比較的容易なときに使用するものである。
【考案を実施するための最良の形態】
【０００９】ロープの中に電線の入ったセンサ部分があり、心線の外側は内側より導電性の低い材質でできている該センサを網状にして、防犯対象物を完全に覆うことを可能にしたことで、侵入に対して確実に反応するようにした。
また、網状化する事で軽量化でき、移動して設置することを容易にした。さらに、デザインも自由な設計ができることで軽量化した。外部へは、携帯電話または電話などの通報器具でセンサ反応時の警報の送信を可能にした。
センサである心線は外側の心線と内側の心線がある構造により、心線を短絡線により短絡することによってセンサの機能を失わせることができない。
電流の多くは抵抗の小さい内側の心線を流れるため、心線を短絡線で短絡させ切断した場合には、電流は必ず導電性の低い外側の心線を流れるので、短絡線による方法ではセンサ機能を失わせることができない。
外側の心線と内側の心線は抵抗値は異なるが概観上の違いがないので内側の心線と内側の心線を短絡することが難しい構造である。
【実施例】
【００１０】屋外の車に取付けることで、盗難対策になる。車を該センサで覆い、内部にセンサの異状を検出し、通報する警報出力装置を設置しておくことで、確実な盗難対策を可能にした。
外部から侵入する可能性のある場所に設置することで、確実な防犯対策になるようにした。門や塀に該網状センサを設置することで、確実な防犯対策ができるようにした。形状やデザインにも配慮できるようにした。【００１１】建物の開口部に設置することで、確実な防犯対策となるようにした。破壊し侵入してくる可能性のある場所を、該網状センサで覆うことで、破壊前に警報がでるようにし、確実な侵入対策を可能にした。【００１２】商品や門や塀に該網状のセンサを設置することで、防犯対策ができる。【００１３】破壊し侵入してくる可能性のある場所を、該網状センサで覆い、破壊前に侵入対策が可能になる。【００１４】該網状センサと該網状センサを接続することで、どのような大きさのものにも対応できる。【００１５】セットと解除は電話回線でできるようになっている。（電話回線で外部へ送信しない場合はタイマー等でセットする）
【産業上の利用の可能性】
【００１６】
【図面の簡単な説明】
【００１７】
【図１】防犯器具の構成図である。１１はロープ状センサ部分で、１２は網状のセンサ部分である。１１のロープ状センサは網状のセンサ部分の固定に使用できる。１３と１４はセンサとセンサの接続部分である。センサを固定した後接続する。１５はセンサに電流を流し、センサの異常を出力できる警報装置である。警報装置は１６の通報装置により、制御できる。１６は通報装置である。１６の通報装置は、１５の警報装置の出力により、外部へセンサの異常の有無を知らせることができる固定電話、携帯電話等の通報器具である。１７は警報器である。１５の警報装置の出力により、音で警報を出す器具である。１８は警報灯である。１５の警報装置の出力により、光で警報を知らせる器具である。
【図２】センサの電線の配線図である。センサの電線の数が２本の例である。２１は網状センサとなる部分である。２２はロープ状センサとなる部分である。２３と２４はセンサの接続部である。２５と２６の間に電流を流し、センサの抵抗値の変化もしくは、電線の短絡又は切断などの異常を電流の変化により検出し、警報装置で出力する。
【図３】拡張用のセンサの電線の配線図である。センサの電線の数が２本の例である。３１は網状センサとなる部分である。図３の３３と図２の２３を接続し図２の２４と図３の３４を接続することで拡張できる。図２の２３と２４の間に、図３のセンサ数を増やすことでセンサの面積を増加することができる。このため、どのような大きさや形状にも対応ができる。拡張ができるため、破壊し侵入してくる可能性のある場所を、該網状センサで完全に覆うことで、破壊前に侵入対策が可能になる。センサとなる電線の数を増やすことで、センサの破壊または変形に対し、より高感度となる。電線の心線は絶縁物で覆われている。心線の外側は心線の内側より導電性の低い材質でできていて、センサである電線の心線と心線を短絡させたとき、電線の抵抗値の変化の検出を容易にしたものである。心線が多構造の場合は、心線と心線の短絡は単線の場合よりは困難となり、抵抗値の変化の検出精度が高くなる。図２の２５と２６の間に流す電流を変化させておくことで、該網状のセンサを破壊することや、無理にセンサの抵抗値に相当するダミーの抵抗を挿入しようとすることに対して、防止対策となる。センサに流れる電流はそのセンサ部分の抵抗値を知ろうとするときの情報となるため、この電流を一定としないようにできる機能を警報装置はもっている。また、センサに流す電流が一定の警報装置は、防犯対策が比較的容易なときに使用するものである。センサーの抵抗値を計測するための電流は情報を有するパルス状の電流を流すことができる。電流は交流又は直流でセンサとなる電線の形状により決定する。
【図４】該網状センサの形状の設計例である。該ロープ状センサは該網状センサを縛り、固定に使用する構造になっている。固定のために４１の引っ掛ける部分を付けたものである。４２は警報装置につながっている部分である。４３はネット状センサ部分である。４４はロープ状センサ部分。４５と４６はセンサの接続部である。形状はサッカーのネット状とした例である。ネット状のため、使用する場所にあわせた形状をデザインすることができる。このことで、違和感を緩和させることができるようになっている。セットと解除は警報器具でもできる。網状であるため、軽量化できる。さらに、拡張ができる構造の貯め、小型化できる。
【図５】ロープ状のセンサで電線が２本の断面図である。外側にはロープの繊維状の線がある。内側に電線と引っ張りに対する強度を増す線が入っている。
【図６】ロープ状のセンサで電線が２本の断面図である。電線の外側に電線を保護し、概観がロープ状になるように成型されたものでセンサである電線部分が覆われている。
【符号の説明】
１１ロープ状センサ部分
１２網状センサ
１３センサとセンサを接続する部分
１４センサとセンサを接続する部分
１５警報装置
１６通報装置
１７警報器
１８警報灯
２１網状のセンサとなる部分
２２ロープ状センサとなる部分
２３センサとセンサを接続する部分
２４センサとセンサを接続する部分
２５センサとセンサの末端部分
２６センサとセンサの末端部分
２７警報装置
２８警報器
２９警報灯
２１０通報装置
３１網状センサとなる部分
３２ロープ状センサとなる部分
３３センサとセンサの接続部分
３４センサとセンサの接続部分
４１センサの固定に使用し外部に引っ掛けるところ
４２ロープ状センサとなる部分
４３網状のセンサとなる部分
４４ロープ状センサとなる部分
４５センサとセンサの接続部分
４６センサとセンサの接続部分
４７警報装置へつながっている部分
５１全体を覆う部分
５２ロープ機能をもつ部分
５３センサとなる電線
５４センサとなる電線
５５ロープ強度を増すための線
５６センサと強度を増すための線を覆うもの
６１センサとなる電線
６２センサとなる電線
６３ロープの強度を増すための線
６４センサとなる電線の補強形成物
７１外側の心線
７２内側の心線
７３被覆
【図１】
0003136150.tif 000003
【図２】
0003136150.tif 000004
【図３】
0003136150.tif 000005
【図４】
0003136150.tif 000006
0003136150.tif 000007
【手続補正書】
【提出日】平成19年8月6日(2007.8.6)
【手続補正１】
【補正対象書類名】図面
【補正対象項目名】全図
【補正方法】変更
【補正の内容】
【図１】
0003136150.tif 000008
【図２】
0003136150.tif 000009
【図３】
0003136150.tif 000010
【図４】
0003136150.tif 000011
【図５】
0003136150.tif 000012
【図６】
0003136150.tif 000013
【図７】
0003136150.tif 000014